(57)【特許請求の範囲】
【請求項１】
ベランダと住戸と共用廊下とを備えた鉄筋コンクリート造建築物において、
室内外方向の厚みが異なる厚肉躯体部と薄肉躯体部とからなるコンクリート躯体、を備え、
該厚肉躯体部と該薄肉躯体部とは連続するように一体的に形成され、
かつ、前記厚肉躯体部から前記薄肉躯体部に掛けて少なくとも１本の鉄筋部材が埋設されてなり、
前記コンクリート躯体は、前記ベランダとは反対の側であって前記共用廊下と前記住戸との境に配置された梁であり、該コンクリート躯体の薄肉躯体部は略水平方向に延設されると共に前記共用廊下と前記住戸との境にある壁部分に配置され、かつ、
前記ベランダの側には順梁が配置された、
ことを特徴とする鉄筋コンクリート造建築物。
【請求項２】
前記コンクリート躯体における厚肉躯体部は順梁を構成している、
ことを特徴とする請求項１に記載の鉄筋コンクリート造建築物。
【発明の詳細な説明】
【技術分野】
【０００１】
本発明は、コンクリート躯体を備えた鉄筋コンクリート造建築物に関する。
【背景技術】
【０００２】
鉄筋コンクリート造の建築物においては、梁や柱等のコンクリート躯体は、断面が略矩形に形成されていた（例えば、特許文献１参照）。
【先行技術文献】
【特許文献】
【０００３】
【特許文献１】特開２００５−２１３７８０号公報
【発明の概要】
【発明が解決しようとする課題】
【０００４】
しかしながら、従来のコンクリート躯体（柱や梁）は分厚く形成されていたので、エアーダクト等のための貫通孔を穿設することが困難であった。
【０００５】
本発明は、上述の問題を解消することができる鉄筋コンクリート造建築物を提供することを目的とするものである。
【課題を解決するための手段】
【０００６】
請求項１に係る発明は、図１(a) (b) (c) に例示するものであって、ベランダ（Ｖ）と住戸（Ｂ）と共用廊下（Ｃ）とを備えた鉄筋コンクリート造建築物（１）において、
室内外方向（ｙ）の厚み（Ｗ１１，Ｗ１２）が異なる厚肉躯体部（Ａ１１）と薄肉躯体部（Ａ１２）とからなるコンクリート躯体（Ａ１）、を備え、
該厚肉躯体部（Ａ１１）と該薄肉躯体部（Ａ１２）とは連続するように一体的に形成され、
かつ、前記厚肉躯体部（Ａ１１）から前記薄肉躯体部（Ａ１２）に掛けて少なくとも１本の鉄筋部材（３）が埋設されてなり、
前記コンクリート躯体（Ａ１）は、前記ベランダ（Ｖ）とは反対の側であって前記共用廊下（Ｃ）と前記住戸（Ｂ）との境に配置された梁であり、該コンクリート躯体（Ａ１）の薄肉躯体部（Ａ１２）は略水平方向に延設されると共に前記共用廊下（Ｃ）と前記住戸（Ｂ）との境にある壁部分に配置され、かつ、
前記ベランダ（Ｖ）の側には順梁が配置されたることを特徴とする。
【０００７】
請求項２に係る発明は、請求項１に係る発明において、図１(a) 及び(b) に示すように、前記コンクリート躯体（Ａ１）における厚肉躯体部（Ａ１１）は順梁を構成していることを特徴とする。
【０００８】
なお、括弧内の番号などは、図面における対応する要素を示す便宜的なものであり、従って、本記述は図面上の記載に限定拘束されるものではない。
【発明の効果】
【０００９】
請求項１に係る発明によれば、コンクリート躯体の一部に薄肉の部分が形成されているので、該部分を利用すれば、室内外を貫通する貫通孔を容易に穿設することが可能となる。
【００１０】
また、ベランダ側の開口や他の開口を小さくせずに建築物の強度をアップすることができる。
【図面の簡単な説明】
【００１１】
【図１】図１(a) は、本発明に係る鉄筋コンクリート造建築物の構造の一例を示す断面図であり、同図(b)(c) は、コンクリート躯体の形状等を示す拡大断面図である。
【図２】図２(a) は、鉄筋コンクリート造建築物の従来構造の一例を示す断面図であり、同図(b)は、鉄筋コンクリート造建築物の従来構造の他の例を示す断面図である。
【図３】図３は、本発明に係る鉄筋コンクリート造建築物の構造の一例を示す平面図である。
【図４】図４は、本発明に係る鉄筋コンクリート造建築物の構造の一例を示す斜視図である。
【図５】図５は、コンクリート躯体の形状の他の例を示す斜視図である。
【図６】図６(a) は、本発明に係る鉄筋コンクリート造建築物の構造の一例を示す正面図（ベランダの側から見た図）であり、同図(b)は、コンクリート躯体の形状等を示す拡大断面図（図６(a) のＤ−Ｄ断面図）である。
【図７】図７は、本発明に係る鉄筋コンクリート造建築物の構造の他の例を示す断面図である。
【発明を実施するための形態】
【００１２】
以下、図１乃至図６に沿って、本発明の実施の形態について説明する。
【００１３】
本発明に係る鉄筋コンクリート造建築物は、図１(a) (b) に符号１で例示するものであって、室内外方向ｙの厚みが異なる少なくとも２つの部分（すなわち、厚肉躯体部Ａ１１と薄肉躯体部Ａ１２）とからなるコンクリート躯体Ａ１を備えている。つまり、１つのコンクリート躯体Ａ１においては、図１(b) に詳示するように、
厚肉躯体部Ａ１１の厚みＷ１１  ＞  薄肉躯体部Ａ１２の厚みＷ１２
となるように設定されると共に、厚肉躯体部Ａ１１と薄肉躯体部Ａ１２とは分離されずに連続するように一体的に形成されている。言い換えれば、本発明におけるコンクリート躯体Ａ１は、断面が矩形の部材から、建築物の強度増加にあまり貢献しない部分（つまり、図１(c) に符号Ａ１３で示す部分）を除去して、厚肉躯体部Ａ１１と薄肉躯体部Ａ１２とを形成したものである。そして、該厚肉躯体部Ａ１１から該薄肉躯体部Ａ１２に掛けては少なくとも１本の鉄筋部材２が埋設されている。
【００１４】
本発明によれば、コンクリート躯体Ａ１の一部に薄肉の部分Ａ１２が形成されているので、該部分Ａ１２を利用すれば、室内外を貫通する貫通孔（図１(c) の符号３参照）を容易に穿設することが可能となる。
【００１５】
さらに、本発明によれば、厚肉躯体部Ａ１１と薄肉躯体部Ａ１２の両方によって建築物１の強度を高めることができるため、他の部分の梁や柱（つまり、厚肉躯体部と薄肉躯体部とにより構成されていない梁や柱）を必要に応じて薄くすることができる。その効果の一例を、ベランダ側の梁を偏平にした場合を例に取って説明する。
【００１６】
従来のコンクリート造建築物では、ベランダ側の梁は、図２(a)に符号４で示すような位置に設けられていたり、図２(b) に符号５で示すような位置に設けられたりしていた。前者の梁４は順梁と呼ばれるものであり、後者の梁５はアウトフレームとか逆梁とか呼ばれるものである。前者の構造では、順梁４の厚み分（上下方向の寸法分）だけ窓開口部が低くなってしまい（一般的な階高では２ｍを超えるようなサッシを採用することは困難であり）、部屋からの眺望が遮られて開放感が得られないという問題があった。また、後者の構造では、そのような問題は無くハイサッシの取付も可能にはなるものの、アウトフレーム５の構築にコストが掛かってしまうという問題があった。また、ベランダの手摺り部分にアウトフレーム５が配置されることとなるため、通風や採光がカットされてしまうという問題もあった。これに対し、上述したようなコンクリート躯体Ａ１（つまり、厚肉躯体部Ａ１１と薄肉躯体部Ａ１２とからなる部材）を用いた場合には厚肉躯体部Ａ１１と薄肉躯体部Ａ１２の両方によって建築物１の強度を高めることができるため、図２(a)
に示す順梁４の上下寸法を薄くでき、その結果、部屋からの眺望の遮りを少なくして開放感を増すことができる。また、図２(b) に示すようなアウトフレーム５を採用する必要が無いため、安価となり、通風や採光の問題も解決することができる。
【００１７】
ところで、図１(a)
に示すコンクリート躯体Ａ１は、ベランダＶとは反対の側（共用廊下Ｃと住戸Ｂとの境部分）に配置された梁であって、薄肉躯体部Ａ１２は略水平方向に延設されているが、この点について説明する。
【００１８】
多くの集合住宅では、図１(a) に示すように、ベランダＶと反対の側には共用廊下Ｃが配置されているが、該共用廊下Ｃと住戸Ｂとの境には、戸口を除くと小さな窓しか配置されていないので、該戸口や小さな窓以外の部分（つまり、共用廊下Ｃと住戸Ｂとの境にある壁部分）に図３及び図４に示すように薄肉躯体部Ａ１２を配置しても何ら問題は無い。つまり、ベランダ側の開口や他の開口を小さくせずに建築物１の強度をアップすることができる。この場合、ベランダ側の梁６のみならず妻面側の梁７も偏平梁にすると良い。
【００１９】
なお、図１(a)
(b) (c) に示すコンクリート躯体Ａ１では厚肉躯体部Ａ１１と薄肉躯体部Ａ１２を１つずつ形成したが、図５に符号Ａ２で示すように、薄肉躯体部Ａ２２の両側に厚肉躯体部Ａ２１を配置するようにすれば、コンクリート躯体Ａ２の曲げ耐力が向上されることになるので好ましい。
【００２０】
一方、前記コンクリート躯体を柱とする場合には、図６(a) (b) に示すように、該コンクリート躯体Ａ３をベランダＶの側に配置して、前記薄肉躯体部Ａ３２が窓開口の側縁に沿うように略鉛直方向に延設されるようにすると良い。このように、ベランダ側に柱状のコンクリート躯体Ａ３を設けた場合には、窓開口上部や下部の視界が遮られることを防止した上で建築物の強度アップを図ることができる。
【００２１】
なお、当然ながら、上述したコンクリート躯体Ａ１，Ａ２，A３を１つの建築物中に配置しても良い。
【００２２】
図１乃至図６に示す構造を使って図７に示すような免震建築物を構築しても良い。この図７では、免震装置Ｓは建築物の１階に配置されているが、もちろんこれに限られるものではなく、地下や２階以上に配置するようにしても良い。
【符号の説明】
【００２３】
３          鉄筋部材
Ａ１        コンクリート躯体
Ａ１１      厚肉躯体部
Ａ１２      薄肉躯体部
Ａ３        コンクリート躯体
Ａ３１      厚肉躯体部
Ａ３２      薄肉躯体部
ｙ          室内外方向
【図１】
0005503757.tif 000002
【図２】
0005503757.tif 000003
【図３】
0005503757.tif 000004
【図４】
0005503757.tif 000005
【図５】
0005503757.tif 000006
【図６】
0005503757.tif 000007
【図７】
0005503757.tif 000008